(57)【要約】【課題】　様々なタイプの製造品の変更に適応させることができるモジーュル式の射出成形機の金型用のシステムを提供する。【解決手段】　標準化モジュールシステムは、射出アセンブリ（１）と、取出しアセンブリ（５）と、固定側金型半体と金型閉鎖位置から金型開放位置まで移動可能な可動側金型半体とを備える金型（２）と、成形される製品に応じてモジュール方式に組立ておよび分解可能であるように、取外し可能に取付けられる雄金型インサートおよび雌金型インサート（３２、４２）と、射出アセンブリのインジェクタ（１６）の配置を変えられるように射出アセンブリと固定側金型半体との間に交換可能に配置される第一のアダプタ手段（８）と、取出しアセンブリのイジェクタ（６８、６９）の配置を変えられるように取出しアセンブリと可動側金型半体との間に交換可能に配置される第二のアダプタ手段（５６、６６、６７、８３）とを備える。【選択図】　　　図１
2004130814.tif 000002
【特許請求の範囲】
【請求項１】
　射出成形機の金型用の標準化モジュールシステム（１００）であって、
　プラスチック材を金型に射出するための複数のインジェクタ（１４）を備える射出アセンブリ（１）と、
　前記金型から成型品（９０）を取出すための複数のイジェクタ（６８、６９）を備える取出しアセンブリ（５）と、
　前記射出アセンブリ（１）と協動する固定側金型半体（３）と、前記取出しアセンブリ（５）と協動すると共にプラスチック材が前記金型に射出される金型閉鎖位置から前記金型で成形された製品が取出される金型開放位置まで移動可能な可動側金型半体（４）とを具備する金型（２）とを具備する標準化モジュールシステムにおいて、
　成形される製品に応じてモジュール方式で組立ておよび分解可能なように、前記固定側金型半体の雌金型プレート（３０）および前記可動側金型半体の雄金型プレート（４０）にそれぞれ形成される専用シートに取外し可能に取付けられる雌金型インサート（３２）および雄金型インサート（４２）と、
　前記射出アセンブリのインジェクタ（１４）の配置を変えられるように前記射出アセンブリ（１）と前記固定側金型半体（３）との間に交換可能に配置される第一のアダプタ手段（８）と、
　前記取出しアセンブリのイジェクタ（６８、６９）の配置を変えられるように前記取出しアセンブリ（５）と前記可動側金型半体（４）との間に交換可能に配置される第二のアダプタ手段（５６、６６、６７、８３）とをさらに具備することを特徴とする標準化モジュールシステム。
【請求項２】
　前記第一アダプタ手段および第二のアダプタ手段が、それぞれ前記射出アセンブリ（１）と対面する前記雌金型プレート（３０）の面および前記取出しアセンブリと対面する前記雄金型プレート（４０）の面に形成される専用シートに取り外し可能に取付けられる第一の熱調節インサート（８）および第二の熱調節インサート（８３）を有し、これら熱調節インサート（８、８３）が前記金型内部の成型品の温度を調節できることを特徴とする請求項１に記載の標準化モジュールシステム（１００）。
【請求項３】
　前記インジェクタ（１４）のノズルが前記雌金型インサート（３２）を通り抜けられるようにするために、前記第一の熱調節インサート（８）が前記固定側金型半体の雌金型インサート（３２）の貫通孔（３３）と整列する複数の貫通孔（８３）を具備し、かつ
　前記イジェクタ（６８、６９）が前記雄金型インサートを通り抜けられるようにするために、前記第二の熱調節インサート（８３）が前記可動側金型半体の雄金型インサート（４２）の貫通孔と整列するよう配置される複数の貫通孔を具備することを特徴とする請求項２に記載の標準化モジュールシステム（１００）。
【請求項４】
　前記第二のアダプタ手段が、さらに、前記取出しアセンブリのベースプレート（５０）に取外し可能に取付けられる少なくとも一つのグループの取出しプレート（５６、６６、６７）を具備し、前記プレート（５６、６６、６７）が前記イジェクタ（６８、６９）を保持および／または案内するために複数の孔を備えることを特徴とする請求項１〜３のいずれか１項に記載の標準化モジュールシステム（１００）。
【請求項５】
　前記ベースプレート（５０）に固定される第一のテーブル（５８）によって前記イジェクタのベースプレート（５０）と一体化される第一のグループの取出しプレート（５６）と、
　互いに固定される第二のテーブル（６２）および第三のテーブル（６３）によって一つにまとめられる第二グループの取出しプレート（６６）および第三のグループの取出しプレート（６７）と、
　前記第二のテーブル（６２）および第三のテーブル（６３）を前記可動側金型半体のコアプレート（４０）に向かってまたこれから離れるように動かすために前記第二のテーブルおよび第三のテーブルに連結されるアクチュエータ手段（５１、５２、５３）とを具備することを特徴とする請求項４に記載の標準化モジュールシステム（１００）。
【請求項６】
　前記アクチュエータ手段が、前記取出しアセンブリのベースプレートに取付けられる空気圧シリンダ（５１）と、前記空気圧シリンダ（５１）内に配置されるプランジャ（５２）と前記第二のテーブル（６２）および第三のテーブル（６３）に連結されるシャフトとを有するピストンを具備することを特徴とする請求項５に記載の標準化モジュールシステム（１００）。
【請求項７】
　前記取出しアセンブリのイジェクタが、パンチイジェクタ（６８）および／または入れ子形イジェクタ（６９）を具備し、各イジェクタのベースが前記第二のグループの取出しプレート（６６）および第三のグループの取出しプレート（６７）の間でブロックされ、各入れ子形イジェクタがガイドシャフト（５７）上を入れ子式に案内される内部が中空のスリーブ（６９）を具備し、前記ガイドシャフトのベースが前記第一のグループの取出しプレート（５６）に固定されることを特徴とする請求項５または６に記載の標準化モジュールシステム（１００）。
【請求項８】
　前記第二テーブル（６２）および第三のテーブル（６３）が、前記第二のテーブル（６２）および第三のテーブル（６３）の四隅付近に配置される四つのタイバー（６１）によって前記可動側金型半体の雄金型プレート（４０）に向かってまたこれから離れるように案内され、各タイバー（６１）の一端が前記取出しアセンブリのベースプレート（５０）と一体化されたブッシュ（６０）によって案内され、他端が前記可動側金型半体の雄金型プレート（４０）と一体化された別のブッシュ（４９）によって案内されることを特徴とする請求項５〜７のいずれか１項に記載の標準化モジュールシステム（１００）。
【請求項９】
　前記可動側金型半体の雄金型プレート上に横向きに移動するように取付けられる複数のスライド（２０）であって、該スライドが前記固定側金型半体の雌金型プレート（３０）の側部に取付けられる傾斜タイバー（３６）とそれぞれ係合することができるスロット（２６）を具備し、これにより金型を閉じるときに該スライド（２０）が内向きに移動して前記雄金型インサート（４２）および雌金型インサート（４３）に当接し、金型を開けるとき該スライド（２０）が外向きに移動して前記雄金型インサート（４２）から離れて成型品の取出しが可能になる複数のスライドと、
　前記スライド（２０）を前記雄金型インサート（４２）に連結するための複数の連結要素（２１）であって、該連結要素（２１）が使用される雄金型インサート（４２）のタイプに応じて交換可能なように前記スライド（２０）に取外し可能に取付けられる複数の連結要素（２１）とを具備することを特徴とする請求項１〜８のいずれか１項に記載の標準化モジュールシステム（１００）。
【請求項１０】
　前記射出アセンブリのインジェクタ（１６）が美的射出成形用のシャッターインジェクタを具備することを特徴とする請求項１〜９のいずれか１項に記載の標準化モジュールシステム（１００）。
【発明の詳細な説明】
【技術分野】
【０００１】
　本発明は、射出成形機の金型用の標準化モジュールシステムに関する。
【背景技術】
【０００２】
　既知の通り、射出成形機は、成型品を形成するプラスチック材が中に射出されるそれぞれのキャビティを画成する一つまたはそれ以上の金型を具備する。
【０００３】
　金型は、一般に、固定側金型半体と、プラスチック材が射出される金型閉鎖位置から成型品が取出される金型開放位置まで移動する可動側金型半体とを具備する。従って、成形機の射出用アセンブリは、プラスチック材の射出のために固定側金型半体に作用し、成形機の取出し用アセンブリは成型品の取出しのために可動側金型半体に作用する。
【０００４】
　各金型は、成型すべき製品に応じて設計され且つ形状が定められるキャビティを画成する。このため、製造品が変更されると、金型全体を、さらに金型と協動する射出アセンブリおよび取出しアセンブリも変更しなければならない。
【０００５】
　製造品の変更が成型品にわずかな変更しか必要としない場合、金型はそのまま同じものを使用して、例えば射出機または射出様式を変更することによって射出用アセンブリに変更を加えてもよい。その代わりに、キャビティを画成する金型の雄型要素および雌要素が取り替えられる。
【発明の開示】
【発明が解決しようとする課題】
【０００６】
　ただし、この種の変更は、どのような法則もなく行われ、当業者の判断に委ねられる。如何なる場合にも、製造品に大幅な変更が加えられる場合には、金型全体、射出アセンブリおよび取出しアセンブリを変更しなければならず、その結果、過大なお金、時間および材料の無駄となる。
【０００７】
　本発明の目的は、モジーュル式の射出成形機の金型用のシステムを提供して、先行技術の欠点を克服することにある。
【０００８】
　本発明の別の目的は、様々なタイプの製造品の変更に適応させることができる万能の成形システムを提供することにある。
【課題を解決するための手段】
【０００９】
　本発明の射出成形機の金型用の標準化モジュールシステムは、プラスチック材を金型に射出するための複数のインジェクタを備える射出アセンブリと、
　金型から成型品を取出すための複数のイジェクタを備える取出しアセンブリ（５）と、
　射出アセンブリと協動する固定側金型半体と、取出しアセンブリと協動すると共にプラスチック材が金型に射出される金型閉鎖位置から金型で成形された製品が取出される金型開放位置まで移動可能な可動側金型半体とを具備する金型とを具備する。
【００１０】
　本発明の特異な特徴は、モジュールシステムが、製造される成型品に応じてモジュール方式で組立ておよび分解可能なように、固定側金型半体の雌金型プレートおよび可動側金型半体の雄金型プレートにそれぞれ形成される専用シートに取外し可能に取付けられる、雌型キャビティを備える雌金型インサートおよび雄型凸部を備える雄金型インサートと、
　射出アセンブリのインジェクタの配置を変えられるように射出アセンブリと固定側金型半体との間に交換可能に配置される第一のアダプタ手段と、
　取出しアセンブリの前記イジェクタの配置を変えられるように取出しアセンブリと可動側金型半体との間に交換可能に配置される第二のアダプタ手段とを具備することにある。
【００１１】
　本発明の射出成形機の金型用の前記標準化モジュールシステムは、下記ような様々な外在的および内在的利点を有する。
【００１２】
　外在的品質（ユーザー側から見た場合）
　効率−個々のモジュールおよびコンポーネントの品質が高いので合理的に使用できる。
　有用性−システムの融通性が非常に高いので無限の分野に応用し得る。
　経済性−製品のタイプが多数の場合、相当のコストが削減される。
　精度−各コンポーネントが正確に作られるので交換性および最高品質の要件を満たす。
【００１３】
　内在的品質（設計者側から見た場合）
　保守性−個々の標準化コンポーネントのモジュールが交換可能なので、取替えコストおよび金型停止時間を大幅に縮小できる。
　拡張性−本発明のシステムの原理の応用の可能性には限界がない。
【００１４】
　モジュール方式の原理に基づく本発明のシステムは、相互に巧みに連結されるモジュールから成る良好に構成された構造を特徴とする。この方法に従った金型の構成によって、機能性、万能性および組立て速度と共に、動作および構成の融通性が高くなる。このシステムは下記の特徴を有する。
　分解可能性−システムは、分解し且つ様々な構成要素で組立て直すことができ、構成要素は単純な構造で結合される様々なパーツにさらに分解することできる。
　組立て可能性−モジュールシステムは、金型に様々な特徴を与えるように組合せることができる要素の生産を容易にする。
　分かり易さ−モジュールシステムを構成する一部のパーツは、観察者がシステムの他のパーツについて知らなくても識別することができる。
　連続性−このシステムでは、システムの仕様の小さな変更は、同様に小さな変更を実行すればよい。
　本発明のモジュールシステムは、変更の影響を変更があったモジュールの内部あるいは多くても限られた数のモジュールに限定する。
【００１５】
　従って、本発明のシステムの特性は、モジュール方式の原理を尊重しており、各モジュールは他のモジュールと関係を持たないので、製品に様々な特徴を与える。
【００１６】
　本発明の別の特徴としては、第一アダプタ手段および第二のアダプタ手段が、それぞれ射出アセンブリと対面する雌金型プレートの面および取出しアセンブリと対面する雄金型プレートの面に形成される専用シートに取り外し可能に取付けられる第一の熱調節インサートおよび第二の熱調節インサートを有し、これら熱調節インサートが金型内部の成型品の温度を調節できる。
【００１７】
　本発明の別の特徴としては、インジェクタのノズルが雌金型インサートを通り抜けられるようにするために、第一の熱調節インサートが固定側金型半体の雌金型インサートの貫通孔と整列する複数の貫通孔を具備し、かつイジェクタが雄金型インサートを通り抜けられるようにするために、第二の熱調節インサートが可動側金型半体の雄金型インサートの貫通孔と整列するよう配置される複数の貫通孔を具備する。
【００１８】
　本発明の別の特徴としては、第二のアダプタ手段が、さらに、取出しアセンブリのベースプレートに取外し可能に取付けられる少なくとも一つのグループの取出しプレートを具備し、プレートがイジェクタを保持および／または案内するために複数の孔を備える。
【００１９】
　本発明の別の特徴としては、システムは、ベースプレートに固定される第一のテーブルによってイジェクタのベースプレートと一体化される第一のグループの取出しプレートと、互いに固定される第二のテーブルおよび第三のテーブルによって一つにまとめられる第二グループの取出しプレートおよび第三のグループの取出しプレートと、第二のテーブルおよび第三のテーブルを可動側金型半体のコアプレートに向かってまたこれから離れるように動かすために第二のテーブルおよび第三のテーブルに連結されるアクチュエータ手段とを具備する。
【００２０】
　本発明の別の特徴としては、アクチュエータ手段が、取出しアセンブリのベースプレートに取付けられる空気圧シリンダと、空気圧シリンダ内に配置されるプランジャと第二のテーブル（６２）および第三のテーブルに連結されるシャフトとを有するピストンを具備する。
【００２１】
　本発明の別の特徴としては、取出しアセンブリのイジェクタが、パンチイジェクタおよび／または入れ子形イジェクタを具備し、各イジェクタのベースが第二のグループの取出しプレートおよび第三のグループの取出しプレートの間でブロックされ、各入れ子形イジェクタがガイドシャフト上を入れ子式に案内される内部が中空のスリーブを具備し、ガイドシャフトのベースが第一のグループの取出しプレートに固定される。
【００２２】
　本発明の別の特徴としては、第二テーブルおよび第三のテーブルが、第二のテーブルおよび第三のテーブルの四隅付近に配置される四つのタイバーによって可動側金型半体の雄金型プレートに向かってまたこれから離れるように案内され、各タイバーの一端が取出しアセンブリのベースプレートと一体化されたブッシュによって案内され、他端が可動側金型半体の雄金型プレートと一体化された別のブッシュによって案内される。
【００２３】
　本発明の別の特徴としては、システムは、可動側金型半体の雄金型プレート上に横向きに移動するように取付けられる複数のスライドであって、スライドが固定側金型半体の雌金型プレートの側部に取付けられる傾斜タイバーとそれぞれ係合することができるスロットを具備し、これにより金型を閉じるときに該スライドが内向きに移動して雄金型インサートおよび雌金型インサートに当接し、金型を開けるとき該スライド（２０）が外向きに移動して雄金型インサートから離れて成型品の取出しが可能になる複数のスライドと、スライドを雄金型インサートに連結するための複数の連結要素であって、連結要素が使用される雄金型インサートのタイプに応じて交換可能なようにスライドに取外し可能に取付けられる複数の連結要素とを具備する。
【００２４】
　本発明の別の特徴としては、射出アセンブリのインジェクタが美的射出成形用のシャッターインジェクタを具備する。
【００２５】
　本発明の更なる特徴は、添付図面に図示された例示的であって本発明を限定するものではない実施態様に関する以下の発明を実施するための最良の形態においてさらに明確になるであろう。
【発明を実施するための最良の形態】
【００２６】
　全体が参照番号１００で示される本発明の射出成形機の金型用の標準化モジュールシステムについて図を使って説明する。
【００２７】
　純粋に例として、モジュールシステム１００は、図において水平の配置で示されているが、鉛直プレスのための鉛直構成で配置することも可能である。
【００２８】
　モジュールシステム１００は、実質的に、融解プラスチック材を射出するための射出アセンブリ１と、成型品を形成するための成型アセンブリ２と、成型アセンブリ２から成型品を取出すための取出しアセンブリ５とを具備する。
【００２９】
　成型アセンブリ２は、射出アセンブリ１と一体的な固定側金型半体３と、取出しアセンブリ５と一体的な可動側金型半体４とを具備する。可動側金型半体４は、成型品を形成するために金型キャビティにプラスチックが射出される金型閉鎖位置から金型キャビティ内に形成された製品が取出しアセンブリ５の介入によって押し出される金型開放位置まで水平に移動する。
【００３０】
　射出アセンブリ１は、スペーサ１３によって離間された二枚の長方形のプレート１１、１２から成るプレート構造体１０を具備する。プレート構造１０には、射出アセンブリのプレート１２から金型に向かって突出する複数のシャッターインジェクタ１４が取付けられる。
【００３１】
　インジェクタ１４は、美的な（スプルのない）成型に適し、シャッター手段を有する射出ノズルから成る。インジェクタ１４は、交換可能であり、小さいサイズで非常にコンパクトにすることができ、様々なタイプの金型のレイアウトに適応できるように様々な位置に配置することができる。
【００３２】
　射出アセンブリ１のプレート構造体１０のプレート１２には、インジェクタ１４を正確に整列するために金型に向かって突出するセンタリング・ピン１５が設けられている。射出アセンブリ１のセンタリング・ピン１５は、固定側金型半体３の一部を構成する雌金型プレート３０に作られる専用の孔と歯合する。
【００３３】
　雌金型プレート３０は、射出アセンブリと対面する面に、端が丸められたほぼ長方形の形状を有する熱調節（温度調整）インサート８をそれぞれ受容することができる複数の（例えば四つの）シート３１を有する。各インサート８は、インジェクタ１４を通すために列状に配置された複数の（例えば六つの）貫通孔８０を有する。インサート８は、インジェクタ１４の射出温度を制御するために温熱調節される。
【００３４】
　可動側金型半体４と対面する雌金型プレート３０の面には、成型マトリクスを画成する雌金型インサート３２をそれぞれ受容するように、熱調節インサート８のシート３１の下方に配置される複数の（例えば四つの）シートが形成される。
【００３５】
　各雌金型インサート３２は、ほぼ長方形のプレートの形態をとり、可動側金型半体４と対面する面に雌型キャビティ３４（図４）を有し、この中に成型品を形成するためのプラスチック材が射出される。従って、各雌金型インサート３２は、インジェクタ１４によって雌金型インサート３２のキャビティ内にプラスチック材を射出できるように、列状に配置される複数の（例えば六つの）貫通孔３３を有する。従って、雌金型インサート３２の貫通孔３３は、熱調節インサート８の貫通孔８０と整列する。
【００３６】
　雌金型プレート３０の四隅に四つの水平タイバー３５が配置される。一方、雌金型プレート３０の各長側面には、雌金型プレートから外側に横向きに突出する（例えば各側面に４本ずつの）傾斜タイバーが配備されている。
【００３７】
　可動側金型半体４はほぼ長方形の雄金型プレート４０を具備し、雄金型プレートは、固定側金型半体３と対面する面に、雌型キャビティと結合する成型雄部を形成する雄金型インサート４２をそれぞれ受容することができる複数の（例えば四つの）シート４１を具備する。
【００３８】
　各雄金型インサート４２はほぼ長方形プレートの形態をとり、固定側金型半体３と対面する面に、成型品を形成するためのプラスチックが中に射出される金型キャビティを形成するために各雌金型インサート３２の雌型キャビティ３４と結合する雄型凸部４４（図４）を有する。
【００３９】
　本明細書において、「雄」および「雌」という用語は単に例として使用されるものであり、固定側金型半体３のインサート３２および可動側金型半体４のインサート４２には両方とも、様々な配置および形状のキャビティおよび（または）凸部を設けることができる。
【００４０】
　雄金型プレート４０の長側面に四つのスライド２０（各長側面に二つずつ）が取付けられる。スライド２０は、雄金型プレートの短い方の側部における両端に配置される二つの端部ガイド要素２８と、雄金型プレートの長い方の側部における中間位置に配置される二つの中間ガイド要素２９との間を横向きに平行移動することができる。
【００４１】
　金型の水平タイバー３５と歯合するように端部ガイド要素２８を貫通する四つのブッシュ４５が雄金型プレート４０の四隅に組み込まれる。このようにして、可動側金型半体３は、タイバー３５に案内されて平行移動することできる。
【００４２】
　各スライド２０は、雄金型インサート４２の側縁面の専用シートと係合する複数の横向きピン２２が設けられた連結要素２１によって、それぞれ雄金型インサート４２に連結される。各スライド２０は、雌金型プレート３０の二つの傾斜タイバー３６を受容可能な二つのスロット状シート２６を有する。
【００４３】
　金型を開けるとき、雄金型プレート４０は雌金型プレート３０から離れるように移動する（図に関しては左側に水平に移動する）ので、傾斜タイバー３６は、スライドのスロット２６の中で摺動し、その結果、スライド２０は雄金型インサート４２の縁から離れるように移動する。このようにして、スライド２０が障害になってそれぞれのインサートにブロッキングされてしまうようなアンダーカット部分を有する成型品でも雄金型インサート４２から取出すことができる。
【００４４】
　熱調節インサート８３が、取出しアセンブリと対面する雄金型プレート４０の面に配置される。熱調節インサート８３および雄金型インサート４２は、両方とも、後述するように、成型品を取出すために取出しアセンブリのパンチを通すように互いに整列する複数の貫通孔を有する。
【００４５】
　取出しアセンブリ５は、プランジャ５２とシャフト５３とから成るピストンが水平に摺動する空気圧シリンダ５１が連結されているベースプレート５０を具備する。図４の矢印Ｆは取出し圧力の方向を示している。成形中にプランジャ５２を引込み位置に維持するために空気を通すためのチャネル１５６がベースプレートに形成される。
【００４６】
　ベースプレート５０には、長側部に二つの台５４が固定され、支持部５５が台５４の間の中間位置に固定される。台５４および支持部５５は一体となって雄金型プレート４０を支持する。このようにして、取出しアセンブリ５は、可動側金型半体４と一体化される。
【００４７】
　第一のグループの例えば四つの後方取出しプレート５６がベースプレート５０の内面上であって台５４と支持部５５との間に配置される。図４に示されるように、後部取出しプレート５６は入れ子式イジェクタの水平ガイドシャフト５７の組み立てのために複数のシートを有する。
【００４８】
　後部取出しプレート５６を保持するために、後部取出しプレート５６を受容することができる多数のシート５９を有する後方テーブル５８がベースプレート５０に固定される。
【００４９】
　取出しアセンブリは後方テーブル５８の四隅を貫通する四つの水平タイバー６１を有する。取出しアセンブリの各タイバー６１の一端はベースプレート５０と一体的なブッシュ６０と係合し、他端は雄金型プレート４０と一体的な別のブッシュ４９と係合する。
【００５０】
　第二のグループの中間プレート６６および第三のグループの前方プレート６７をそれぞれ受容するように相対するシート６４、６５をそれぞれ有する中間テーブル６２および前方テーブル６３が、取出しアセンブリのタイバー６１上で水平に摺動することができるように取付けられる。中間テーブル６２および前方テーブル６３は互いに固定されるので、その間に中間プレート６６および前方プレート６７が一塊に閉じ込められる。
【００５１】
　さらに、中間テーブル６２および前方テーブル６３は、空気圧ピストンのシャフト５３（図４）に固定されるので、シリンダ５１内のピストンの動きによって取出しアセンブリのタイバー６１に沿って水平に動かされることができる。
【００５２】
　中間プレート６６は、入れ子形イジェクタのガイドシャフト５７を通すことができる複数の貫通孔を有する。一方、前方プレート６７は、パンチ状イジェクタ６８および（または）入れ子形イジェクタ６９を収めるための複数のシートを有する。入れ子形イジェクタは内部が中空のスリーブ６９を有し、スリーブはそれぞれのガイドシャフト５７上を入れ子式に移動する。
【００５３】
　このようにして、ピストン５２のシャフト５３を作動すると、入れ子形イジェクタ６９およびパンチイジェクタ６８と共に中間テーブル６２および前部テーブル６３が引込み位置から成型品の取出し位置まで水平に動く。入れ子形イジェクタ６９およびパンチイジェクタ６８は、熱調節インサート８３および雄金型インサート４２の貫通孔を通り抜けて、成型品９０（図４）を金型から取出すように成型品を押す。なお、成型品が円形パーツ９１を持つ場合、入れ子形イジェクタ６９がこの円形パーツに作用することが望ましい。
【００５４】
　製造品が変更される場合、成形される製品の形状を定める雄金型インサート４２および雌金型インサート３２を変更しなければならないことは明らかである。従って、新しいインサートの形状に適合させるために熱調節インサート８、８３も変えることが必要なこともある。最後に、成形される部品に応じてインジェクタ１４（例えば一部にだけ作用する）およびイジェクタ６８、６９の配列を変える必要がある。スライド２１を雄金型インサート４２に連結する要素２１と同様、取出しアセンブリのプレート５６、６６および６７も必要であれば変えることができる。
【００５５】
　一方、モジュールシステム１００を構成する他の全ての部品（すなわち、射出アセンブリのプレート構造１０、固定側金型半体の雌金型プレート３０、可動側金型半体の雄金型プレート４０、テーブル５８、６２、６３、ベースプレート５０および取出しアセンブリのシリンダ・空気ピストンアセンブリ）は変更が加えられないままである。
【００５６】
　特許請求の範囲から逸脱することなく当業者の理解の範囲で本発明の実施態様に多数の変化および修正を加えることができる。
【図面の簡単な説明】
【００５７】
【図１】本発明の射出成形機の金型用の標準化モジュールシステム全体を示す不等角投影分解図である。
【図２】図１のモジュールシステムの様々な要素を示す、分解側面線図である。
【図３】射出アセンブリおよび温度調節インサートが省略されている図１のモジュールシステムを拡大して示した不等角投影分解図である。
【図４】成型品取出し段階にある金型開放状態の図１の組み立て済みモジュールシステムの断面図である。
【符号の説明】
【００５８】
１…射出アセンブリ
２…成型アセンブリ
３…固定側金型半体
４…可動側金型半体
５…取出しアセンブリ
３０…雌金型プレート
３２…雌金型インサート
４０…雄金型プレート
４２…雄金型インサート
１００…標準化モジュールシステム
【図１】
2004130814.tif 000003
【図２】
2004130814.tif 000004
【図３】
2004130814.tif 000005
【図４】
2004130814.tif 000006